(57)【要約】【課題】耐震性能を向上するとともに、軽量化することができるキャビネットラックを提供する。【解決手段】キャビネットラック１は、ラック本体２を構成する垂直フレーム３と水平フレーム４が連結するコーナ部に一致するようにして略三角形状に形成した第１補強部材５を設け、前後の垂直フレーム３の中間高さ間に第２補強部材６を設け、第１補強部材５及び第２補強部材６を引張強度が５９０ＭＰＡ以上の高張力鋼板により形成する。また、垂直フレーム３と水平フレーム４を形成する鋼板の板厚を１．０ｍｍ〜１．５ｍｍに形成する。【選択図】図１
2011155211.tif 000002
【特許請求の範囲】
【請求項１】
ラック本体を垂直フレームと水平フレームにより箱状に形成し、前記ラック本体に耐震補強するために補強部材を設けて成るキャビネットラックにおいて、前記垂直フレームと前記水平フレームが連結するコーナ部に第１補強部材を設けるとともに、前後の前記垂直フレーム間に第２補強部材を設け、前記第１補強部材及び前記第２補強部材を高張力鋼板により形成したことを特徴とするキャビネットラック。
【請求項２】
前記第１補強部材は前記垂直フレームと前記水平フレームが連結するコーナ部に一致するように略三角形状に主板部を形成し、該主板部に前記垂直フレームと前記水平フレームに固定するための固定部を形成したことを特徴とする請求項１に記載のキャビネットラック。
【請求項３】
前記第２補強部材は前記垂直フレーム間に亘る帯状の主板部の上下に折曲部を形成し、前記主板部の長手方向両端に垂直フレームに固定するための略三角形状の固定部を形成したことを特徴とする請求項１に記載のキャビネットラック。
【請求項４】
前記第１補強部材及び前記第２補強部材に用いられる高張力鋼板の引張強度は５９０ＭＰＡ以上であることを特徴とする請求項１乃至請求項３の何れかに記載のキャビネットラック。
【請求項５】
前記垂直フレームと前記水平フレームの板厚を１．０ｍｍ〜１．５ｍｍにしたことを特徴とする請求項１乃至請求項４の何れかに記載のキャビネットラック。
【発明の詳細な説明】
【技術分野】
【０００１】
本発明は、電子機器、電気機器、通信機器などを収納するためのキャビネットラックの耐震補強に関する。
【背景技術】
【０００２】
従来、電子機器、電気機器、通信機器など各種機器を収納するためのキャビネットラックはラック本体が垂直フレームと水平フレームとで箱状に形成され、例えば特許文献１に開示されるように垂直フレームと水平フレームが連結するコーナ部に補強金具が設けられてラック本体の剛性を高めて耐震補強されたものがあった。このキャビネットラックに設けられる補強金具は垂直フレームに固定される垂直部と、水平フレームに固定される水平部と、垂直部と水平部の交差部分に広がる筋交部とを一体的に備え、垂直フレームに形成したリブの下端に補強金具の筋交部を係合させて固定されていた。
【先行技術文献】
【特許文献】
【０００３】
【特許文献１】特開２００８−１７７１８９号公報（図３）
【発明の概要】
【発明が解決しようとする課題】
【０００４】
従来、キャビネットラックを耐震補強するための補強金具にはＳＳ４００系の一般的な素材の鋼板が用いられるが、この鋼板は引張強度が２７０ＭＰＡ程度である。このため、補強金具は、強度を確保するために連結部から垂直フレームに沿って延びる垂直部と、連結部から水平フレームに沿って延びる水平部とを備えなければならず、どうしても大きい形状になってしまい、材料の歩留まりも良くなかった。また、補強金具だけでは耐震強度が低いため、垂直フレームと水平フレーム自体にも強度を持たせる必要があった。このため、垂直フレームと水平フレームを構成する鋼板の板厚は薄くしても１．６ｍｍが限度であり、ラック本体の軽量化は困難であった。
【課題を解決するための手段】
【０００５】
請求項１に記載の発明によれば、ラック本体を垂直フレームと水平フレームにより箱状に形成し、ラック本体に耐震補強するために補強部材を設けて成るキャビネットラックにおいて、垂直フレームと水平フレームが連結するコーナ部に第１補強部材を設けるとともに、前後の垂直フレーム間に第２補強部材を設け、第１補強部材及び第２補強部材を高張力鋼板により形成したことを特徴とする。
【０００６】
請求項２に記載の発明によれば、請求項１に記載のキャビネットラックにおいて、第１補強部材は垂直フレームと水平フレームが連結するコーナ部に一致するように略三角形状に主板部を形成し、主板部に垂直フレームと水平フレームに固定するための固定部を形成したことを特徴とする。
【０００７】
請求項３に記載の発明によれば、請求項１に記載のキャビネットラックにおいて、第２補強部材は垂直フレーム間に亘る帯状の主板部の上下に折曲部を形成し、主板部の長手方向両端に垂直フレームに固定するための略三角形状の固定部を形成したことを特徴とする。
【０００８】
請求項４に記載の発明によれば、請求項１乃至請求項３の何れかに記載のキャビネットラックにおいて、第１補強部材及び第２補強部材に用いられる高張力鋼板の引張強度は５９０ＭＰＡ以上であることを特徴とする。
【０００９】
請求項５に記載の発明によれば、請求項１乃至請求項４の何れかに記載のキャビネットラックにおいて、垂直フレームと水平フレームの板厚を１．０ｍｍ〜１．５ｍｍにしたことを特徴とする。
【発明の効果】
【００１０】
請求項１に記載の発明によれば、ラック本体の耐震強度が向上し、軽量化することができるという効果がある。
【００１１】
請求項２に記載の発明によれば、請求項１に記載の発明の効果に加えて、補強金具の強度が向上して小さく形成でき、材料の歩留まりが良いという効果がある。
【００１２】
請求項３に記載の発明によれば、請求項１に記載の発明の効果に加えて、補強金具の強度が向上して小さく形成でき、材料の歩留まりが良いという効果がある。
【００１３】
請求項４に記載の発明によれば、請求項１乃至請求項３の何れかに記載の発明の効果に加えて、小さな補強金具でも十分な強度が確保できるという効果がある。
【００１４】
請求項５に記載の発明によれば、請求項１乃至請求項４の何れかに記載の発明の効果に加えて、ラック本体を軽量化した上で強度が確保できるという効果がある。
【図面の簡単な説明】
【００１５】
【図１】本発明に係るキャビネットラックのラック本体を示す斜視図である。
【図２】第１補強部材の斜視図である。
【図３】図１のＡ部拡大図である。
【図４】第２補強部材の斜視図である。
【発明を実施するための形態】
【００１６】
キャビネットラックは、ラック本体を構成する垂直フレームと水平フレームが連結するコーナ部に一致するようにして略三角形状に形成した第１補強部材を設け、前後の垂直フレームの中間高さ間に第２補強部材を設け、第１補強部材及び第２補強部材を引張強度が５９０ＭＰＡ以上の高張力鋼板により形成する。また、垂直フレームと水平フレームを形成する鋼板の板厚を１．０ｍｍ〜１．５ｍｍに形成する。
【実施例１】
【００１７】
本発明に係るキャビネットラックの実施例１を図１〜図４の添付図面に基づいて説明する。
【００１８】
電子機器、通信機器、電気機器など各種機器を収納するためのキャビネットラック１は、ラック本体２を垂直フレーム３と水平フレーム４とで箱状に形成し、垂直フレーム３と水平フレーム４が連結するコーナ部に第１補強部材５が設けられ、前後の垂直フレーム３，３間に第２補強部材６が設けられる。図１では左側を前面とし、奥行き方向に長い形状に形成されている。
【００１９】
第１補強部材５はラック本体２の垂直フレーム３と水平フレーム４が連結するコーナ部に一致するように略三角形状に主板部５ａが形成され、更に主板部５ａの２辺に垂直フレーム３と水平フレーム４に夫々当接するように固定部５ｂが折曲形成されている。第１補強部材５の材料には５９０ＭＰＡ以上の高張力鋼板が用いられている。
【００２０】
第１補強部材５は固定部５ｂを垂直フレーム３と水平フレーム４に当接させ、溶接したり、固定部５ｂに孔を形成してボルトを挿通しナットで締め付ける等して固定される。第１補強部材５は図１では前後方向の水平フレーム４と垂直フレーム３が連結する８箇所のコーナ部に設けられているが、左右方向の水平フレーム４と垂直フレーム３が連結するコーナ部に設けることも可能であり、また、両方に設けることも可能である。
【００２１】
また、第２補強部材６はラック本体２の前後の垂直フレーム３間に亘る帯状の主板部６ａの上下が折曲されて折曲部６ｂが形成され、主板部６ａの長手方向両端に垂直フレーム３に固定するための略三角形状の固定部６ｃが形成されている。第２補強部材６の材料には５９０ＭＰＡ以上の高張力鋼板が用いられている。
【００２２】
第２補強部材６は垂直フレーム３の中間高さ間に配置されるように固定部６ｃを垂直フレーム３に当接させ、溶接したり、固定部６ｃに孔を形成してボルトを挿通してナットで締め付ける等して固定される。第２補強部材６は図１では垂直フレーム３の中間高さに１本だけ設けられているが、垂直フレーム３の上部と下部に設けるなど複数本設けることも可能である。
【００２３】
このように第１補強部材５及び第２補強部材６が設けられたキャビネットラック１は剛性が高まるため、フレーム３，４の剛性を低くすることが可能になり、垂直フレーム３と水平フレーム４を板厚が１．０ｍｍ〜１．５ｍｍの鋼板によって形成している。このため、従来のキャビネットラックよりラック本体を軽量化することができる。
【００２４】
キャビネットラック１は図示しないが、ラック本体２の前後に扉が取り付けられ、左右に側面パネルが取り付けられ、上面に天板が取り付けられ、内部にポストが垂設されて機器が上下方向にマウント固定されて使用される。
【符号の説明】
【００２５】
１    キャビネットラック
２    ラック本体
３    垂直フレーム
４    水平フレーム
５    第１補強部材
６    第２補強部材
【図１】
2011155211.tif 000003
【図２】
2011155211.tif 000004
【図３】
2011155211.tif 000005
【図４】
2011155211.tif 000006